(57)【特許請求の範囲】
【請求項１】
中継器増幅器組立体であって、
第一オプティクス及び電子回路を収容する第一シャーシと、
第二オプティクス及び電子回路を収容する第二シャーシと、
該第一及び第二シャーシを接続するサイズ調節メカニズムであって、該第二シャーシとの関係において該第一シャーシの位置を可逆的に調節することにより、該中継器増幅器組立体のサイズを調節するように構成されたサイズ調節メカニズムと、
を具備し、
該サイズ調節メカニズムは第一メカニズムを具備し、該第一メカニズムは、
第一部分において左ねじが切られ、且つ、第二部分において右ねじが切られたガイドロッドと、
該左ねじが切られた部分上において螺合された第一ガイド片と、
該右ねじが切られた部分上において螺合された第二ガイド片と、
該ガイドロッドが第一方向において回転した際に、該第一及び第二ガイド片が該ガイドロッドに沿って共に近接するべく運動するように、且つ、前ガイドロッドが該第一方向とは反対の第二方向において回転した際に、該第一及び第二ガイド片が該ガイドロッドに沿って更に離隔するべく運動するように、該ガイドロッドの該第一及び第二ガイド片との関係における回転を許容するメカニズムと、
該ガイドロッドに摺動自在に結合された第一反応ブロックと、
同様に該ねじが切られたガイドロッドに摺動自在に結合された第二反応ブロックと、
該ガイドロッドに沿って離隔するように該第一及び第二反応ブロックを駆動するべく結合された弾性を有する圧縮メカニズムであって、該第一及び第二ガイド片が該ガイドロッドに沿って共に近接するように運動した際に、該第一及び第二ガイド片は、該ガイドロッドに沿って共に近接するべく摺動するように該第一及び第二反応ブロックを強制すると共に該弾性を有する圧縮メカニズムを圧縮し、且つ、該第一及び第二ガイド片が該ガイドロッドに沿って更に離隔するように運動した際に、該第一及び第二ガイド片は、該ガイドロッドに沿って更に離隔するべく押圧されるように、該弾性を有する圧縮メカニズムが該第一及び第二反応ブロックを押圧することを許容する、弾性を有する圧縮メカニズムと、
該第一及び第二反応ブロックが該ガイドロッドに沿って更に離隔するように運動した際に、該第一及び第二シャーシ上において外向きの圧力を伝達するように構成され、且つ、該第一及び第二反応ブロックが該ガイドロッドに沿って互いに近接するように運動した際に、該第一及び第二シャーシ上において内向きに引っ張るように構成された力伝達メカニズムと、
を具備する中継器増幅器組立体。
【請求項２】
該サイズ調節メカニズムは、該中継器増幅器組立体が、該第一及び第二シャーシが互いから外向きに押圧される膨張位置において、或いは、該第一及び第二シャーシが互いに向って内向きに引っ張られる縮小位置において、可逆的に位置決めされることを許容する制御部、を具備する、請求項１に記載の中継器増幅器組立体。
【請求項３】
該第一オプティクス及び電子回路は、少なくとも第一ファイバペアの光信号の増幅用である、請求項１に記載の中継器増幅器組立体。
【請求項４】
該第二オプティクス及び電子回路は、少なくとも第二ファイバペアの光信号の増幅用である、請求項３に記載の中継器増幅器組立体。
【請求項５】
該第一シャーシは、円筒体の円周部として成形された外向きに対向する表面を有し、且つ、該第二シャーシも、円筒体の円周部として成形された外向きに対向する表面を有する、請求項１に記載の中継器増幅器組立体。
【請求項６】
該第一シャーシは、円筒体の円周部における半分として成形された外向きに対向する表面を有し、且つ、該第二シャーシも、円筒体の円周部における半分として形成された外向きに対向する表面を有する、請求項１に記載の中継器増幅器組立体。
【請求項７】
該第一及び第二ガイド片が特定の地点を超えるところまで該ガイドロッドに沿って共に近接するように運動した際に、該第一及び第二反応ブロックは、該第一及び第二反応ブロックの位置を維持するために外部的に印加された回転力が該ガイドロッドに印加される必要がないような位置においてロックされる、請求項１に記載の中継器組立体。
【請求項８】
該力伝達メカニズムは、該第一反応ブロックと該第一シャーシとの間において結合された第一リンクアームを具備する、請求項１に記載の中継器組立体。
【請求項９】
該力伝達メカニズムは、該第一反応ブロックと該第二シャーシとの間において結合された第二リンクアームを具備する、請求項８に記載の中継器組立体。
【請求項１０】
該力伝達メカニズムは、
第二反応ブロックと該第一シャーシとの間において結合された第三リンクアームと、
第二反応ブロックと該第二シャーシとの間において結合された第四リンクアームと、
を更に具備する、請求項９に記載の中継器組立体。
【請求項１１】
該サイズ調節メカニズムは、第二メカニズムを具備する、請求項１に記載の中継器増幅器組立体。
【請求項１２】
該ガイドロッドは第一ガイドロッドであり、該弾性を有する圧縮メカニズムは第一の弾性を有する圧縮メカニズムであり、且つ、該力伝達メカニズムは第一力伝達メカニズムであり、該第二メカニズムは、
第一部分において左ねじが切られ、且つ、第二部分において右ねじが切られた第二ガイドロッドと、
該左ねじが切られた部分上において螺合された第三ガイド片と、
該右ねじが切られた部分上において螺合された第四ガイド片と、
該第二ガイドロッドが第一方向において回転した際に、該第三及び第四ガイド片が該第二ガイドロッドに沿って共に近接するべく運動するように、且つ、該第二ガイドロッドが該第一方向とは反対の第二方向において回転した際に、該第三及び第四ガイド片が該第二ガイドロッドに沿って更に離隔するべく運動するように、該第二ガイドロッドの該第三及び第四ガイド片との関係における回転を許容するメカニズムと、
該第二ガイドロッドに摺動自在に結合された第三反応ブロックと、
同様に該第二ガイドロッドに摺動自在に結合された第四反応ブロックと、
該第二ガイドロッドに沿って離隔するように該第三及び第四反応ブロックを駆動するべく結合された第二の弾性を有する圧縮メカニズムであって、該第三及び第四ガイド片が該第二ガイドロッドに沿って共に近接するように運動した際に、該第三及び第四ガイド片は、該第二ガイドロッドに沿って共に近接するべく摺動するように該第三及び第四反応ブロックを強制すると共に該第二の弾性を有する圧縮メカニズムを圧縮し、且つ、該第三及び第四ガイド片が該第二ガイドロッドに沿って更に離隔するように運動した際に、該第三及び第四ガイド片は、該第二ガイドロッドに沿って更に離隔するべく押圧されるように、該第二の弾性を有する圧縮メカニズムが該第三及び第四反応ブロックを押圧することを許容する、メカニズムと、
該第三及び第四反応ブロックが該第二ガイドロッドに沿って更に離隔するように運動した際に、該第一及び第二シャーシ上において外向きの圧力を伝達するように構成され、且つ、該第三及び第四反応ブロックが該第二ガイドロッドに沿って互いに近接するように運動した際に、該第一及び第二シャーシ上において内向きに引っ張るように構成された第二力伝達メカニズムと、
を具備する、請求項１１に記載の中継器増幅器組立体。
【請求項１３】
該弾性を有する圧縮メカニズムは、該第一及び第二反応ブロックの間において、該ガイドロッド上において位置決めされたスプリング又は一連のディスクスプリングである、請求項１に記載の中継器増幅器組立体。
【請求項１４】
第三オプティクス及び電子回路を収容する第三シャーシと、
第四オプティクス及び電子回路を収容する第四シャーシと、
該第三及び第四シャーシを接続する第二サイズ調節メカニズムであって、該第四シャーシとの関係において該第三シャーシの位置を可逆的に調節することにより、該中継器増幅器組立体のサイズを調節するように構成されたメカニズムと、
を更に具備する、請求項１に記載の中継器増幅器組立体。
【請求項１５】
該サイズ調節メカニズム及び該第二サイズ調節メカニズムは、該第四シャーシとの関係における該第三シャーシの位置を可逆的に調節しつつ、該第二シャーシとの関係における該第一シャーシの該位置が可逆的に調節されるように、リンクされている、請求項１４に記載の中継器増幅器組立体。
【請求項１６】
請求項１に記載の中継器増幅器組立体を中継器ハウジングに挿入する方法であって、
縮小位置における該中継器増幅器組立体をアクセスするステップと、
該中継器増幅器組立体を中継器ハウジングに挿入するステップと、
該第一及び第二シャーシが該中継器ハウジングを圧接状態で押圧する時点まで、外向きに膨張するように該サイズ調節メカニズムが該第一及び第二シャーシを駆動するように該ガイドロッドを作動させるステップと、
を具備する方法。
【請求項１７】
該中継器ハウジングは、海中ケースである、請求項１６に記載の方法。
【請求項１８】
縮小位置における中継器増幅器組立体にアクセスする動作は、
膨張位置における該中継器増幅器組立体にアクセスするステップであって、該膨張位置において、該サイズ調節メカニズムは、該第一及び第二シャーシを互いから離隔するように押圧している、ステップと、
該中継器増幅器組立体が該縮小位置となる時点まで、該サイズ調節メカニズムが該第一及び第二シャーシを内向きに引っ張るように該ガイドロッドを作動させるステップと、
を具備する、請求項１６に記載の方法。
【請求項１９】
中継器ハウジングから請求項１に記載の中継器増幅器組立体を取り外す方法であって、
膨張位置において該中継器増幅器組立体をその内部に有する中継器ハウジングにアクセスする動作と、
該第一及び第二シャーシがもはや該中継器ハウジングを圧接状態で押圧しなくなる時点まで、該サイズ調節メカニズムが該第一及び第二シャーシを内向きに引っ張るように該ガイドロッドを作動させる動作と、
該中継器増幅器組立体を該中継器ハウジングから取り外す動作と、
を具備する方法。
【発明の詳細な説明】
【背景技術】
【０００１】
光ファイバ通信ネットワークは、ネットワークノード間において高速データを提供することにより、情報時代の主要な需要に応えている。光ファイバ通信ネットワークは、相互接続された光ファイバリンクの集合体を含む。簡単に言えば、光ファイバリンクは、光の形態の情報を光ファイバ内に放出する光信号源を必要とする。内部反射の原理に起因し、光信号は、最終的に光信号レシーバにおいて受け取られる時点まで、光ファイバを通じて伝播する。光ファイバリンクが双方向である場合には、通常、別個の光ファイバを使用することにより、情報を逆方向において光学的に伝達してもよい。
【０００２】
光ファイバリンクは、様々な用途に使用されており、これらの用途は、そのそれぞれが、異なる長さの光ファイバリンクを必要としている。例えば、相対的に短い光ファイバリンクは、コンピュータとその近傍の周辺装置の間において、或いは、ローカルビデオ供給源（ＤＶＤ又はＤＶＲなど）とテレビとの間において、情報を伝達するべく、使用されてもよい。但し、これとは全く正反対に、情報を二つのネットワークノードの間において伝達する必要がある際に、光ファイバリンクは、数百キロメートルにわたって、或いは、場合によっては、数千キロメートルにもわたって、延在する場合もある。
【０００３】
長距離及び超長距離オプティクスとは、数百又は数千キロメートルのレベルの長い光ファイバリンク上における光信号の送信を意味している。通常、長距離オプティクスは、波長分割多重（Wavelength Division Multiplexing：ＷＤＭ）又は高密度ＷＤＭ（Dense ＷＤＭ：ＤＷＤＭ）の原理を使用した単一の光ファイバ上の別個のチャネル上における光信号の送信を必要としており、それぞれのチャネルは、光の別個の波長に対応している。
【０００４】
このようなＷＤＭ又はＤＷＤＭを使用した長距離にわたる光信号の送信は、特に、ギガビット／秒／チャネル距離を単位とする高ビットレートにおいて、大きな技術的課題を有している。高速長距離及び超長距離光通信の技術分野におけるなんらかの改善のためには、大量の時間及びリソースが必要とされよう。それぞれの改善は、大きな進歩をもたらすことが可能であり、その理由は、このような改善は、しばしば、地球全体を通じた通信の相対的に広範な可用性をもたらすからである。従って、このような進歩は、地理的な場所が益々意味を失いつつある状況において、協力し、学習し、事業を実行し、且つ、これらに類似したものを実行するための人類の能力を潜在的に加速させることになろう。
【０００５】
光増幅器を含む中継器は、しばしば、光ファイバリンクのリーチを延長させるべく使用されている。このような光増幅器は、例えば、希土類によってドーピングされたファイバ及び希土類によってドーピングされたファイバに対してパワー供給する半導体に基づいた光ポンプを含んでもよい。従って、中継器は、電力の供給源を有しており、且つ、電力を光ポンプに対して供給する。又、中継器は、中継器によって生成される熱が周辺環境に放散されることを可能にする熱放散特性をも有する。しばしば、中継器は、例えば、海洋横断光ファイバリンクに使用される際には、恐らくは、海底上において水中に配置される。このような中継器は、「潜水艦」型光中継器と呼称される。潜水艦型中継器においては、熱は、取り囲んでいる海洋に放散されることを要し、海洋は、通常、大部分の潜水艦型中継器が動作する深度において、わずかに数℃である。
【０００６】
中継器は、通常、ハウジングと、絶縁層と、増幅器組立体自体と、を含む。ケーブルは、光ファイバペアを含む（それぞれのペアは、一つの方向における通信のための東ファイバと、反対方向における通信のための西ファイバと、を有する）。又、ケーブルは、電力の供給のための導体をも有する。
【０００７】
ハウジングは、通常、金属から構成されており、且つ、実際に、周辺環境（潜水艦型中継器の場合には、海水）との接触状態にある。絶縁層は、通常、ポリマースリーブであり、且つ、増幅器組立体をハウジングから電気的に絶縁するように機能する。ポリマースリーブは、通常、ハウジングとの良好で緊密な接触状態にある。又、熱を増幅器組立体からハウジング外の周辺環境に効率的に伝達するべく、増幅器組立体も、ポリマースリーブとの緊密な接触状態にある必要がある。この結果、ポリマースリーブを通じた、ハウジングを通じた、そして、周辺環境内への、増幅器組立体からの熱伝達が促進される。増幅器は、通常、ハウジングに挿入され、且つ、次いで、良好な熱伝達を促進するために必要とされる緊密な接触を生成するべく、機械的にポリマースリーブとの圧接状態とされる。
【発明の概要】
【０００８】
本明細書に記述されている少なくとも一つの実施形態は、オプティクス及び電子回路を収容する少なくとも二つのシャーシを含む中継器増幅器組立体に関する。シャーシは、相互の関係においてシャーシの位置を可逆的に調節することにより、中継器増幅器組立体のサイズを調節しうるサイズ調節メカニズムと接続されている。中継器増幅器組立体を中継器ハウジングに挿入するべく、中継器増幅器組立体には、縮小位置においてアクセスされる。増幅器をハウジングに挿入し、且つ、次いで、シャーシを相互の関係において外向きに駆動させてシャーシがポリマースリーブ及びハウジングを圧接状態で押圧するように、サイズ調節メカニズムの制御部を作動させる。中継器増幅器組立体を中継器ハウジングから取り出すには、シャーシがもはやポリマースリーブ及び中継器ハウジングを圧接状態において押圧しなくなる時点まで、サイズ調節メカニズムがシャーシを相互の関係において内向きに引っ張るように、制御部を作動させる。この結果、中継器増幅器組立体を中継器ハウジングから自由に取り出してもよい。いくつかの実施形態においては、制御部は、対応するサイズ調節メカニズムをそれぞれが有する中継器増幅器組立体の複数のインスタンスを作動させるべく、使用されてもよい。
【０００９】
この概要は、詳細な説明において更に後述される単純化された形態における概念の選択について紹介するべく提供されたものである。この概要は、特許請求されている主題の主要な特徴又は不可欠な特徴を識別することを意図したものではなく、且つ、特許請求されている主題の範囲の判定を支援するべく使用されることを意図したものでもない。
【図面の簡単な説明】
【００１０】
上述の且つその他の利点及び特徴を得ることができる方式について説明するべく、以下、添付図面を参照し、様々な実施形態の更なる具体的な説明を提供することとする。これらの添付図面は、例示用の実施形態を示すものに過ぎず、且つ、従って、本発明の範囲の限定と見なすべきではないという理解を前提とした上で、以下、添付図面を使用し、実施形態について更なる具体性及び詳細を伴って記述及び説明することとする。
【００１１】
【図１】本明細書において記述されている原理を利用してもよい例示用の光通信システムを概略的に示す。
【図２】光中継器の例示用の一実施形態の斜視図を示す。
【図３】いくつかの基礎をなすコンポーネントが可視状態となりうるように折り曲げ制限装置が図示されていないことを除いて、図２の光中継器の斜視図を示す。
【図４】ライナを露出させるように折り曲げ制限装置及びハウジングが図示されていないことを除いて、図２の光中継器の斜視図を示す。
【図５】縮小可能且つ膨張可能な中継器増幅器組立体を形成しうる方法の一つの具体的な例を表す中継器増幅器組立体の斜視図を示す。
【図６Ａ】膨張するように駆動されている図５のサイズ調節メカニズムの斜視クローズアップ図を示す。
【図６Ｂ】縮小するように駆動されている図５のサイズ調節メカニズムの斜視クローズアップ図を示す。
【図７】図２のハウジング内における図５の中継器増幅器組立体の断面図を示す。
【図８Ａ】図５の二つの連結された中継器増幅器組立体の連続体の斜視図を示す。
【図８Ｂ】図５の三つの連結された中継器増幅器組立体の連続体の斜視図を示す。
【図９】図８の連続体の三つのサイズ調節メカニズムの長さを示しており、隣接するサイズ調節メカニズムの間の可能な接続を拡大図において更に示す。
【図１０】中継器増幅器組立体を中継器ハウジングに挿入する方法のフローチャートを示す。
【図１１】中継器ハウジングから中継器増幅器組立体を取り外す方法のフローチャートを示す。
【発明を実施するための形態】
【００１２】
本明細書において記述されている実施形態によれば、中継器増幅器組立体は、中継器の相対的に便利な組立及び保守を許容するように操作され得る調節可能なサイズを有する。中継器増幅器組立体は、オプティクス及び電子回路を収容する少なくとも二つのシャーシを含む。シャーシは、相互の関係においてシャーシの位置を可逆的に調節することにより、中継器増幅器組立体のサイズを調節できるサイズ調節メカニズムと接続されている。組立の際に中継器増幅器組立体を中継器ハウジングに挿入するべく、或いは、保守を完了させるべく、中継器増幅器組立体は、縮小位置においてアクセスされる。増幅器をハウジングに挿入し、且つ、次いで、シャーシを相互の関係において外向きに駆動してシャーシがライナ及び中継器ハウジングを圧接状態で押圧するように、サイズ調節メカニズムの制御部を作動させる。保守を開始するべく中継器ハウジングから中継器増幅器組立体を取り出すには、シャーシがもはやライナ及び中継器ハウジングを圧接状態で押圧しなくなる時点まで、サイズ調節メカニズムが相互の関係においてシャーシを内向きに引っ張るように、制御部を作動させる。この結果、中継器増幅器組立体を中継器ハウジングから自由に取り出してもよい。
【００１３】
本明細書において記述されている原理は、以下において記述される利点を有する実施形態に限定されるものではなく、いくつかの実施形態によれば、シャーシの外向きの力は、シャーシが中継器ハウジングとの間において緊密な接触を実施するようにするのに十分なものとなることができる。この結果、ハウジングを通じてシャーシ上のオプティクス及び電子回路からの熱を放散させるための効率的な熱チャネルが得られる。潜水艦型中継器の場合には、低温の海洋が、この場合の効果的なヒートシンクとして機能することになろう。
【００１４】
更には、本明細書において記述されている最も広範な原理は、この特定の実施形態に限定されるものではなく、本明細書において記述されているいくつかの実施形態によれば、シャーシの外向きの力は、チューニング可能となることができる。例えば、外向きの力は、１）オプティクス及び電子回路から周辺環境への効率的な熱放散を許容するべくシャーシとハウジングとの間の緊密な接触を許容することになると共に、２）中継器増幅器組立体に印加され得る実際的に予期されるすべての力にも拘らず、シャーシの位置の固定を許容することになる特定の閾値を上回っていることを要する。例えば、潜水艦型増幅器組立体は、船から海底に配備される際に、且つ、反対方向において回収される際に、加速及び突然の運動を経験する場合がある。本明細書において記述されているいくつかの実施形態によれば、チューニング済みの力は、時間に伴って相対的に一定となることができる。従って、例えば、潜水艦型中継器増幅器組立体が後から回収される際に、シャーシは、中継器ハウジング内において固定状態において留まる。チューニング可能な外向きの力は、この最低閾値を上回っているが、外向きの力が中継器コンポーネントの損傷の危険を有する最大閾値未満となるようにチューニングされてもよい。従って、チューニング可能な力は、安全に最小閾値と最大閾値との間となるように調節されてもよい。
【００１５】
まず、図１との関係において、中継器を有する光学環境について説明することとする。次いで、後続の図との関係において、中継器光学組立体及び対応する中継器の実施形態について説明することとする。
【００１６】
図１は、本明細書において記述されている原理が利用され得る例示用の光通信システム１００を概略的に示している。光通信システム１００においては、情報は、光信号を使用し、端末１０１と端末１０２との間において伝達される。本出願において使用されている表記法によれば、端末１０１から端末１０２へ伝播する光信号を「東」と呼称することとし、端末１０２から端末１０１へ伝播する光信号を「西」と呼称することとする。「東」及び「西」という用語は、反対方向において伝播する二つの光信号を容易に弁別できるように使用される専門用語に過ぎない。「東」及び「西」という用語の使用は、図１のコンポーネントのなんらかの実際的な地理的関係を意味するものではなく、且つ、光信号のなんらかの実際の物理的方向を意味するものでもない。例えば、本明細書において使用されている表記法は、端末１０１から端末子１０２に伝播する「東」光信号を有しているにも拘わらず、端末１０１は、地理的に、端末１０２の東側に配置されてもよい。
【００１７】
一実施形態においては、光信号は、波長分割多重化（ＷＤＭ）され、且つ、潜在的に高密度波長分割多重化（ＤＷＤＭ）されている。ＷＤＭ又はＤＷＤＭにおいては、情報は、以下において「光波長チャネル」と呼称される複数の別個の光チャネルのそれぞれ上において伝達される。それぞれの光波長チャネルには、光通信のために特定の周波数が割り当てられている。特定の周波数に含まれる信号を個々の光波長信号と呼称することとする。従って、ＷＤＭ又はＤＷＤＭ光信号を使用して通信するべく、端末１０１は、「ｎ」個の光トランスミッタ１１１（光トランスミッタ１１１（１）〜１１１（ｎ）を含み、ここで、ｎは、正の整数である）を有してもよく、それぞれの光トランスミッタは、対応する東光波長チャネル上において送信するためのものである。同様に、端末１０２も、光トランスミッタ１２１（１）〜１２１（ｎ）を含む「ｎ」個の光トランスミッタ１２１を有してもよく、これらのそれぞれは、対応する西光波長チャネル上において送信するためのものである。但し、本明細書において記述されている原理は、東光波長チャネルの数が西光波長チャネルの数と同一である通信に限定されるものではない。更には、本明細書において記述されている原理は、光トランスミッタのうちのそれぞれの光トランスミッタの構造そのままに限定されるものでもない。但し、レーザは、特定の周波数において送信するための適切な光トランスミッタである。光トランスミッタは、所定の周波数範囲においてチューニング可能であってもよい。
【００１８】
東方向における光送信用の東チャネルの場合には、端末１０１は、光マルチプレクサ１１２を使用することにより、光トランスミッタ１１１からの東光波長信号のそれぞれを単一の東光信号に多重化しており、次いで、この単一の東光信号は、第一光ファイバリンク１１４（１）上に送信される前に、任意選択の東光増幅器１１３によって光学的に増幅されてもよい。
【００１９】
東及び西チャネルのうちのそれぞれのチャネル内において端末１０１及び１０２の間には、合計で「ｍ」個の中継器（東中継器の場合には、１１５というラベルが付与され、且つ、西中継器の場合には、１２５というラベルが付与されている）と、「ｍ＋１」個の光ファイバリンク（東ファイバリンクの場合には、１１４というラベルが付与され、且つ、西ファイバリンクの場合には、１２４というラベルが付与されている）と、が存在している。但し、東及び西チャネルのうちのそれぞれのチャネル内の中継器の数が等しいという要件は存在していない。中継器のそれぞれは、電力を消費し、これにより、光信号を増幅してもよい。
【００２０】
次いで、最終的な光ファイバリンク１１４（ｍ＋１）からの東光信号は、任意選択により、任意選択の光増幅器１１６により、端末１０２において増幅される。次いで、東光信号は、光デマルチプレクサ１１７を使用することにより、様々な波長の光波長チャネルに逆多重化される。次いで、様々な光波長チャネルは、光レシーバ１１８（１）〜１１８（ｎ）を含む対応する光レシーバ１１８により、受信及び処理されてもよい。
【００２１】
西方向における光送信用の西チャネルの場合には、端末１０２は、光マルチプレクサ１２２を使用することにより、光トランスミッタ１２１（光トランスミッタ１２１（１）〜１２１（ｎ）を含む）からの西光波長信号のそれぞれを単一の西光信号に多重化する。次いで、多重化された光信号は、第一光ファイバリンク１２４（ｍ＋１）に送信される前に、任意選択の西光増幅器１２３によって光学的に増幅されてもよい。西光チャネルが東光チャネルと対称的である場合には、この場合にも、「ｍ」個の中継器１２５（１２４（１）〜１２４（ｍ＋１）というラベルが付与されている）と、「ｍ＋１」個の光ファイバリンク１２４（１２４（１）〜１２４（ｍ＋１）というラベルが付与されている）と、が存在している。
【００２２】
次いで、最後の光ファイバリンク１２４（１）からの西光信号は、任意選択により、端末１０１において、任意選択の光増幅器１２６により、増幅される。次いで、西光信号は、光デマルチプレクサ１２７を使用することにより、逆多重化され、この際に、個々の波長分割光チャネルは、光レシーバ１２８（光レシーバ１２８（１）〜１２８（ｎ）を含む）により、受信及び処理される。端末１０１及び／又は１０２は、光通信システム１００内に示されているすべての要素を必要とするわけではない。例えば、光増幅器１１３、１１６、１２３、及び／又は１２６は、いくつかの構成においては、使用されなくてもよいであろう。更には、存在する場合に、対応する光増幅器１１３、１１６、１２３、及び／又は１２６のそれぞれは、必要に応じて、複数の光増幅器の組合せであってもよい。
【００２３】
しばしば、中継器の間の光経路長は、ほぼ同一である。中継器の間の距離は、合計端末間光経路距離、データレート、光ファイバの品質、ファイバの損失特性、中継器の数（存在する場合）、それぞれの中継器に供給され得る電力量（中継器が存在する場合）などによって左右されることになる。但し、高品質のシングルモードファイバ用の中継器の間の（又は、中継器を有していないシステムにおいては、端末の間の）通常の光経路長は、約５０キロメートルであってもよく、且つ、実際には、３０キロメートル以下から１００キロメートル以上の範囲であってもよい。但し、本明細書において記述されている原理は、中継器の間のなんらかの特定の光経路距離に限定されるものではなく、且つ、光経路距離が中継器を有するセグメントの間において同一である中継器システムに限定されるものでもない。
【００２４】
光通信システム１００は、単純化された形態において表されており、これは、図示と例示とを目的としたものに過ぎない。本明細書において記述されている原理は、格段に複雑な光通信システムに拡張されてもよい。本明細書において記述されている原理は、複数のファイバペアが存在し、そのそれぞれが多重化されたＷＤＭ光信号を伝達するためのものである光通信システムに対して適用されてもよい。更には、本明細書において記述されている原理は、一つ又は複数のファイバペア及び／又は光波長チャネルを一つの方向において、且つ、一つ又は複数のファイバペア及び／又は光波長チャネルを別の方向において、分割する一つ又は複数の分岐ノードが存在する光通信に対しても適用される。
【００２５】
図２は、光中継器２００の例示用の実施形態の斜視図を示している。光中継器２００は、一つ又は複数のファイバペア用の増幅を実行してもよい。特定の一実施形態においては、光中継器２００は、複数のファイバペア用の増幅を実行している。それぞれのファイバペアは、東チャネル用のファイバと、西チャネル用のファイバと、を含む。図１においては、例えば、一つの東チャネル（光ファイバリンク１１４（１）〜１１４（ｍ＋１）と、中継器１１５（１）〜１１５（ｍ）と、を有する）のみが示されており、且つ、一つの西チャネル（光ファイバリンク１２４（１）〜１２４（ｍ＋１）と、中継器１２５（１）〜１２５（ｍ）と、を有する）のみが示されている。但し、実際の動作においては、複数の東光チャネルと、複数の西光チャネルと、が存在してもよい。
【００２６】
一つのファイバペアにおいて、光中継器２００は、図示の東中継器１１５（ｙ）のいずれかとして機能してもよく、ここで、「ｙ」は、１と東中継器１１５の合計数との間の任意の整数であり、且つ、光中継器２００は、図示の西中継器１２５（ｚ）のうちのいずれかとして機能してもよく、ここで、「ｚ」＝「ｙ」である。但し、光中継器２００によってサービスされるそれぞれの更なるファイバペアにおいて、光中継器は、別の東光チャネル（図１には示されていない）用の東中継器及び別の西光チャネル（図１には示されていない）用の西中継器として機能する。
【００２７】
図示の光中継器２００は、本明細書において記述されている相対的に広範な原理から利益を享受しうる無限の様々な光中継器の一例に過ぎない。光中継器の形状又は構成とは無関係に、本明細書において記述されている原理は、中継器増幅器組立体が光中継器のハウジングから相対的に容易に取り出され得ると共にこれに挿入され得るように、中継器増幅器組立体のサイズの調節を許容する。但し、光中継器２００は、後続の図面との関係において更に詳細に後述することになる一例である。
【００２８】
光中継器２００は、中継器ハウジング２０１内において光増幅器を収容している。図示の例においては、中継器ハウジング２０１は、円筒形であるが、本明細書において記述されている原理は、この形状の中継器ハウジングに限定されるものではない。図示の例においては、光中継器２００は、潜水艦型中継器であるが、本明細書において記述されている原理は、同様に、陸上の中継器に適用されてもよい。中継器増幅器組立体は、増幅器自体を含む。一例として、増幅器は、電力供給された半導体に基づいた光ポンプと共に、希土類元素がドーピングされたファイバを含んでもよい。中継器ハウジング２０１は、例えば、動作の際に周辺の海洋に実際に接触する金属製の海中ケースであってもよい。
【００２９】
ケーブルは、光中継器のそれぞれの端部に接続される。ケーブルは、電力を光中継器２００との間においてやり取りするための導体を含み、且つ、光中継器によって支持されるそれぞれのファイバペアごとに２本の光ファイバをも含む。例えば、図２において、ケーブル自体は、図示されていない。但し、テールチューブ２０２Ａが、光中継器２００の一端（以下においては、「近端」とも呼称される）において装着されており、且つ、導体と光ファイバとをこの一端において接続している。更には、別のテールチューブ２０２Ｂが、光中継器２００の他端（以下においては、「遠端」と呼称される）において装着されており、且つ、導体と光ファイバとをこの他端において接続している。
【００３０】
折り曲げ制限装置２０３Ａが、中継器ハウジング２０１の近端にフィットされ、且つ、テールチューブ２０２Ａを支持及びガイドしている。同様に、類似の折り曲げ制限装置２０３Ｂが、中継器ハウジング２０１の遠端にフィットされ、且つ、テールチューブ２０２Ｂを支持及びガイドしている。適切な折り曲げ制限装置の例は、ジンバルであるが、本明細書において記述されている原理は、ジンバルの使用に限定されるものではない。折り曲げ制限装置２０３Ａ及び２０３Ｂは、配備及び回収の際にテールチューブにより、且つ、光中継器２００により、観察される最大曲がりを制限すると共に光中継器２００がケーブル船のバウシーブ周辺において関節運動することを許容している。それぞれのテールチューブ２０２Ａ及び２０２Ｂは、ケーブルに接合されており、且つ、この結果得られる結合部は、折り曲げ制限装置の外側端部に固定されている。
【００３１】
図３は、いくつかの基礎をなすコンポーネントが可視状態となりうるように折り曲げ制限装置２０３Ａ及び２０３Ｂが図示されていないことを除いて、図２の光中継器２００の斜視図３００を示している。図３から更に明らかなように、中継器ハウジング２０１のそれぞれの端部は、保持リング３０２Ａによってその位置が保持されたバルクヘッド３０１Ａによって密封状態で封止されている。又、封止システムは、最大で８ｋｍの水深への配備と関連する静水圧に耐えるようにも設計されている。図３の斜視図は、その近端において中継器ハウジング２０１を最も明瞭に示しているが、類似のバルクヘッド及び保持リングは、同様に、中継器ハウジング２０１の遠端に存在してもよい。
【００３２】
図４は、この場合には、ライナ４０１の近端を露出させるように折り曲げ制限装置２０３Ａ及び中継器ハウジング２０１が図示されていないことを除いて、図２の光中継器２００の近端の斜視図４００を示している。ライナ４０１内には、中継器増幅器組立体（図４には図示されていないが、図５には、相対的に完全に示されている）が収容されている。ライナ４０１は、中継器増幅器組立体と中継器ハウジング２０１との間の電気的絶縁として機能する。
【００３３】
光中継器の光増幅器及び光ポンプは、中継器増幅器組立体内において取り付けられることを思い起こされたい。従って、中継器増幅器組立体は熱を生成する。光増幅器と、中継器ハウジング２０１と、究極的に海洋と、の間における熱伝達を維持するべく、中継器増幅器組立体とライナ４０１との間における緊密な接触が最良である。但し、接触が非常に緊密である場合には、組立を促進するための中継器増幅器組立体とライナ４０１との間における十分なクリアランスが存在しなくなる。本明細書において記述されている原理は、必要に応じて、縮小及び膨張する中継器増幅器組立体を提供することにより、これらの恐らくは矛盾する目的を解決している。組立において、中継器増幅器組立体が中継器ハウジングに挿入されている際には、中継器増幅器組立体は、中継器増幅器組立体を自由に挿入するためのクリアランスを許容するべく、縮小位置にあってもよい。従って、位置決めされたら、中継器増幅器組立体は、ライナとの間に緊密な接触を形成するべく、膨張してもよい。本明細書において記述されているいくつかの実施形態においては、この膨張に伴う外向きの力は、チューニング可能とされてもよい。後から保守のために光中継器にアクセスする際又は場合には、中継器増幅器組立体は、中継器増幅器組立体を縮小させ、これにより、中継器ハウジングとの間に小さなクリアランスを形成し、且つ、これにより、中継器ハウジングからの中継器増幅器組立体の取出しを促進することにより、中継器ハウジングから取り出されてもよい。
【００３４】
図５は、このような縮小可能且つ膨張可能な組立体が形成され得る方法の一つの特定の例を表す中継器増幅器組立体５００の斜視図を示している。具体的には、中継器増幅器組立体５００は、円筒形ハウジング及びライナの場合に適している。但し、その他の形状の中継器増幅器組立体も、同様に、本明細書において記述されている原理と一貫性を有するその他の中継器ハウジング形状において使用されてもよい。
【００３５】
ライナ４０１内には、長さの観点で、エンドツーエンド状態において積層された複数の中継器増幅器組立体５００が存在してもよいが、ライナ４０１は、このような一つの中継器増幅器組立体５００のみを収容してもよい。図５は、一つの中継器増幅器組立体５００のみを示している。いずれの場合にも、中継器ハウジング２０１は、望ましい数の中継器増幅器組立体を収容するのに十分な長さを有することになろう。
【００３６】
それぞれの中継器増幅器組立体５００は、二つのシャーシ５０１及び５０２を含む。サイズ調節メカニズム５１０が、シャーシ５０１及び５０２を接続しており、且つ、シャーシ５０２との関係においてシャーシ５０１の位置を可逆的に調節することにより、中継器増幅器組立体５００のサイズを調節するように、構成されている。サイズ調節メカニズム５１０は、中継器増幅器組立体が、シャーシ５０１及び５０２が互いから外向きに押圧される膨張位置において、或いは、シャーシ５０１及び５０２が互いに向って内向きに引っ張られる縮小位置において、可逆的に位置決めされることを許容する制御部を含む。この制御部の一例については、図６Ａ及び図６Ｂとの関係において更に後述することとする。
【００３７】
シャーシ５０１は、例えば、少なくとも一つのファイバペア用のオプティクス及び電子回路などのオプティクス及び電子回路を含む。又、シャーシ５０２は、例えば、少なくとも別のファイバペア用のオプティクス及び電子回路などのオプティクス及び電子回路を含む。このようなオプティクス及び電子回路は、例えば、ドーピングされたファイバ増幅器と、電力が供給されるポンプと、を含んでもよいであろう。図示のケースにおいては、シャーシ５０１及び５０２は、それぞれ、円筒体の長さの観点における一部分（半分）として成形された外向きに対向する表面を有する。これは、円筒形状である中継器ハウジングの場合に適しており、その理由は、このような表面は、中継器増幅器組立体が中継器ハウジングに挿入され、且つ、膨張させられた際に、このような中継器ハウジングとの間において緊密な接触を維持することになるからである。但し、その他の形状のシャーシも、本明細書において記述されている一般的な原理と一貫性を有する中継器ハウジングのその他の形態との間の緊密な接触を維持するために適していよう。
【００３８】
サイズ調節メカニズム５１０は、シャーシ５０１及び５０２の外部表面とライナ４０１との間の緊密な接触を維持する外向きの力を生成するように、設計されている。この外向きの力は、図６Ａ及び図６Ｂに示されているスプリング及びリンク機構の組立体によって生成される。中継器増幅器組立体５００の両側部には、二つの場所においてシャーシ５０１及び５０２を接続するサイズ調節メカニズム５１０が存在している。シャーシ５０１及び５０２が相互の関係において運動した際に、シャーシ５０１及び５０２が、中継器ハウジング２０１、ライナ４０１、及び中継器増幅器組立体５００によって定義された円筒体の中心軸との関係において外向きに膨張するように、端部片５１１及び５１２がシャーシ５０１及び５０２にキャップ状に結合されている。
【００３９】
後述するように、スプリング又はその他の弾性を有する圧縮メカニズムが、反応ブロックを強制的に離隔させる負荷を反応ブロック上において生成する。リンクアームが、この負荷をシャーシに伝達し、これにより、シャーシを外向きに押圧する。印加される外向きの力は、光中継器が次に維持される時点まで、或いは、光中継器がその寿命の終了点に到達する時点まで、緊密な接触の維持を許容するレベルに時間に伴って維持される。一例として、外向きの力は、時間に伴って大幅に緩和しないように、時間に伴って一貫性を有するように維持されてもよい。更には、外向きの力は、チューニング可能とされてもよい。
【００４０】
図６Ａは、膨張状態におけるサイズ調節メカニズム５１０の斜視クローズアップ図６００Ａを示している。図６Ｂは、縮小状態におけるサイズ調節メカニズム５１０の斜視クローズアップ図６００Ｂを示している。
【００４１】
サイズ調節メカニズム５１０は、一端においては、左ねじが切られ、且つ、他端においては、右ねじが切られたガイドロッド６０１を含む。一つのガイド片６０２Ａが、左ねじが切られた部分上において螺合されており、且つ、ガイド片６０２Ｂが、右ねじが切られた部分上において螺合されている。更には、サイズ調節メカニズム５１０は、ガイドロッド６０１がガイド片６０２Ａ及び６０２Ｂとの関係において回転することを許容するメカニズムをも含む。
【００４２】
例えば、サイズ調節メカニズム５１０は、ガイドロッド６０１に摺動自在に結合された反応ブロック６０３Ａと、ガイドロッド６０１に摺動自在に結合された別の反応ブロック６０２Ｂと、を含む。又、サイズ調節メカニズム５１０は、ガイドロッド６０１に沿って離隔するように反応ブロック６０３Ａ及び６０３Ｂを駆動するべく結合された弾性を有する圧縮メカニズム６０４をも含む。例えば、弾性を有する圧縮メカニズム６０４は、反応ブロック６０３Ａ及び６０３Ｂの間において、ガイドロッド６０１上において位置決めされたスプリングであってもよい。
【００４３】
一実施形態においては、弾性を有する圧縮メカニズム６０４は、一連の積層されたディスクスプリングと、恐らくは、スペーサと、である。このケースにおいては、メカニズムの形状及びスプリングの特性／構成を変更することにより、押出し力のレベルを変化させることができる。スプリングは、最適な熱接触及びハウジング（例えば、潜水艦中継器内に配備された場合には、海中ケースであってもよい）内における確実な中継器増幅器組立体の軸方向の配置／保持などの要件に適した力を実現するように、選択することができる。
【００４４】
押出し力は、サイズ調節メカニズムにより、且つ、更に詳しくは、スプリングにより、支配されることから、押出し力は、操作者に伴う可変性や恐らくはトルク限度に到達する時点までシャーシを外向きに持ち上げる剛性の押出しシステムによって発生しうる組立の際の誤差の影響を受けない。サイズ調節メカニズムによって印加される力は、慎重な形状の設計及びスプリングの物理的パラメータの選択により、予め設定することができる。従って、確実な反復可能なレベルの力を既定することができる。
【００４５】
中継器増幅器組立体は、通常の製造公差に起因した中継器ごとのハウジングの内径のわずかな寸法の可変性を許容している。スプリングによる力の印加は、ライナの内径に対して自己調節するメカニズムを結果的にもたらす。更には、中継器の寿命において、熱膨張、静水圧縮、及び材料のクリープなどの現象の結果として、わずかな直径の寸法変化が生じる場合がある。スプリング力は、小さな運動範囲にわたって広範に線形であり、且つ、従って、内部ユニットは、相対的に一定の押出し力を供給しつつ、自己調節することが可能であり、これにより、光中継器の技術分野に対する大きな改善が得られる。
【００４６】
その休止状態にある収容されていない状態において、スプリングは、ハウジング内への内部ユニットの組込みを妨げる程度に、離隔するようにシャーシを押圧している。この組込みを実行するべく、中継器増幅器組立体がライナの内径内において緩くフィットするように、一つに近接するべく、シャーシを運動させることができる。中継器増幅器組立体が定位置に位置したら、シャーシとハウジングライナとの間の接触を生成するべく、押出し機能を起動する。以下、メカニズムの例示用の動作について説明することとする。
【００４７】
サイズ調節メカニズム５１０は、反応ブロック６０３Ａ及び６０３Ｂがガイドロッド６０１に沿って更に離隔するように移動した際にシャーシ５０１及び５０２上の出力圧力を伝達するように構成された力伝達メカニズムをも含む。このような力伝達メカニズムの一例は、リンクアーム６２１〜６２４である。リンクアーム６２１は、反応ブロック６０３とシャーシ５０１との間において結合されている。リンクアーム６２２は、反応ブロック６０３Ｂとシャーシ５０１との間において結合されている。リンクアーム６２３は、反応ブロック６０３とシャーシ５０２との間において結合されている。リンクアーム６２４は、反応ブロック６０３Ｂとシャーシ５０２との間において結合されている。ガイドロッド６０１が端部片５１１及び５１２に回転自在に結合された状態において、且つ、サイズ調節メカニズム５１０が図６Ａ及び図６Ｂとの関係において図示及び説明されたように構成された状態において、ガイドロッド６０１は、ガイド片６０２Ａ及び６０２Ｂとの関係において回転してもよく、その理由は、ガイド片６０２Ａ及び６０２Ｂが、個々の反応ブロック６０３Ａ及び６０２Ｂによって保持されているからである。
【００４８】
この状態において、ガイドロッド６０１が第一方向において（図６Ｂの方向６１０Ｂにおいて）回転した際に、中継器増幅器組立体５００の縮小が発生する。具体的には、ガイドロッド６０１は、一端においては、左ねじが切られており、且つ、他端においては、右ねじが切られていることから、方向６１０Ｂにおいてガイドロッド６０１を回転させることにより、図６Ｂにおいて矢印６１１Ｂ及び６１２Ｂによって示されているように、ガイド片６０２Ａ及び６０２Ｂがガイドロッド６０１に沿って一つに近接するように運動することになる。
【００４９】
従って、ガイド片６０２Ａは、反応ブロック６０３Ａを弾性を有する圧縮メカニズム６０４に対して圧接状態で押圧し、且つ、従って、ガイド片６０２Ｂは、反応ブロック６０３Ｂを弾性を有する圧縮メカニズム６０４に対して圧接状態で押圧する。この結果、反応ブロック６０３Ａ及び６０３Ｂは、ガイドロッド６０１に沿って一つに近接するように摺動し、且つ、弾性を有する圧縮メカニズム６０４が圧縮される。この結果、反応ブロック６０３Ａ及び６０３Ｂが一つに近接するように運動する状態において、力伝達メカニズムは、シャーシ５０１及び５０２上において内向きに引っ張られる。例えば、リンクアーム６２１〜６２４は、矢印６３１Ｂ、６３２Ｂ、６３３Ｂ、及び６３４Ｂによって表されているように、シャーシ５０１及び５０２上において内向きに引っ張られ、これにより、中継器増幅器組立体の縮小動作が生成される。ガイドロッド６０１に印加されたトルクが方向６１０Ｂに沿って増大するのに伴って、中継器増幅器組立体５００は、中継器ハウジング２０１に（或いは、更に詳しくは、中継器ハウジング２０１内において設定されたライナ４０１に）挿入可能な状態につぶれる。一実施形態においては、ガイド片６０２Ａ及び６０２Ｂが特定の地点を超えるところまでガイドロッドに沿って一つに近接するように運動した際に、第一及び第二反応ブロックの位置を維持するための外部的に印加された回転力のガイドロッドへの印加が不要となるように、反応ブロック６０３Ａ及び６０４Ｂの位置がロックされている。
【００５０】
中継器ハウジング２０１への中継器増幅器組立体５００の挿入の後に、図６Ａに示されているように、ガイドロッド６０１を反対方向６１０Ａにおいて回転させてもよい。この結果、ガイド片６０２Ａ及び６０２Ｂは、ガイドロッド６０１に沿って更に離隔するように運動する。又、この際には、弾性を有する圧縮メカニズム６０４の力に起因し、反応ブロック６０３Ａ及び６０３Ｂは、ガイドロッド６０１に沿って更に離隔するように運動する。ここで、力伝達メカニズムは、反応ブロック６０３Ａ及び６０３Ｂがガイドロッド６０１に沿って更に離隔するように運動した際に、シャーシ５０１及び５０２上において外向きの圧力を伝達するように構成されている。具体的には、ガイドロッド６０１は、一端においては、左ねじが切られ、且つ、他端においては、右ねじが切られていることから、方向６１０Ａにおいてガイドロッド６０１を回転させることにより、図６Ｂにおいて矢印６１１Ａ及び６１２Ａによって示されているように、ガイド片６０２Ａ及び６０２Ｂは、ガイドロッド６０１に沿って更に離隔するように運動することになる。そして、この結果、リンクアーム６２１、６２２、６２３、及び６２４が、それぞれ、矢印６３１Ａ、６３２Ａ、６３３Ａ、及び６３４Ａによって表された方向において、力を印加することになる。
【００５１】
従って、ガイドロッド６０１が方向６１０Ａに沿って回転するのに伴って、中継器増幅器組立体５００は膨張する。シャーシ５０１及び５０２がライナ４０１に到達したら、回転の継続により、ガイドロッド６０１並びに捕獲状態のガイド片６０２Ａ及び６０２Ｂは、緩んだ状態となる。この結果、外向きの負荷は、弾性を有する圧縮メカニズム６０４によって十分に制御される。本明細書において記述されている原理は、記述されている利点を有する実施形態に限定されるものではなく、いくつかの実施形態によれば、シャーシの外向きの力は、シャーシが中継器ハウジングとの間の緊密な接触を実施するために十分なものとなることができる。この結果、ハウジングを通じてシャーシ上のオプティクス及び電子回路からの熱を放散させる効率的な熱チャネルが得られる。潜水艦型中継器の場合には、低温の海洋が、このケースにおける効果的なヒートシンクとして機能することになろう。
【００５２】
その一方において、中継器増幅器組立体が中継器ハウジング２０１に挿入されなかった場合には、方向６１０Ａにおける回転は、中継器増幅器組立体５００の中継器ハウジング２０１への組込みを妨げる程度まで離隔するようにシャーシ５０１及び５０２を最終的に押圧することになろう。従って、この状態においては、中継器増幅器組立体５００は、中継器ハウジング２０１に挿入されるべく、縮小されることになろう。
【００５３】
本明細書において記述されている原理は、中継器増幅器組立体の形態に限定されるものではない。又、本明細書において記述されている原理は、中継器増幅器組立体を膨張及び縮小させるべく使用される方式又はメカニズムに限定されるものでもない。但し、中継器増幅器組立体は、中継器増幅器組立体が、シャーシが互いから外向きに押圧される膨張位置において、或いは、シャーシが互いに向って内向きに引っ張られる縮小位置において、可逆的に位置決めされることを許容するいくつかのタイプの制御部を有する。図２、図３、図４、図５、図６Ａ、及び図６Ｂの例においては、この制御部の一例は、ガイドロッド６０１の回転である。
【００５４】
図７は、図２のハウジング２０１内の図５の中継器増幅器組立体５００の断面図７００を示している。この用途における最適な性能を目的として、ガイドロッド６０１（１）及び６０１（２）並びに中継器増幅器組立体５００の軸は、共平面状態にある。更には、サイズ調節メカニズム５１０（１）及び５１０（２）は、中継器増幅器組立体５００の軸を中心として対称的に配置されている。
【００５５】
ガイドロッド６０１（１）及び６０２（２）の共平面性を制御するべく、端部プレート装置が使用される。又、端部プレート装置は、ライナ４０１の内径と同一である公称的「安定状態」直径の周りにおける内部ユニットの圧縮及び膨張の量を制限するようにも機能する。膨張の制限は、中継器増幅器組立体５００が取り出された際にのみ、適用される。ハウジング（例えば、潜水艦型中継器の場合には、海中ケース）内に収容されている際には、ライナ４０１が膨張制限装置として機能する。端部プレート装置の最終的な機能は、シャーシ５０１及び５０２の端部面が共平面状態に留まることを保証するというものである。端部プレートが存在しない場合には、メカニズムの非常にわずかな不均衡が、中継器増幅器組立体を台形形状に歪ませると共に正しい動作を妨げる傾向を有することになろう。
【００５６】
一実施形態においては、それぞれのシャーシ５０１又は５０２は、単一のファイバペアの光学機能を処理する能力を有する。このケースにおいては、二つのシャーシ５０１及び５０２を有する中継器増幅器組立体５００は、二つのファイバペアの光学機能を処理する。但し、例えば、複数のファイバペアの光学機能をそれぞれのシャーシ５０１及び５０２内において含むことにより、或いは、（後述するように）中継器増幅器組立体５００の複数のインスタンスを一つに連結することにより、更に多くの数のファイバペアを処理するように、設計を拡張してもよい。例えば、図８Ａは、図５の中継器増幅器組立体５００の二つの連結されたインスタンス５００（１）及び５００（２）の直列組立体８００Ａを示している。図８Ｂは、図５の中継器増幅器組立体５００の三つの連結されたインスタンス５００（１）、５００（２）、及び５００（３）の直列組立体８００Ｂを示している。図２を参照すれば、ハウジング２１０の設計は、連結された連続体８００Ａ及び８００Ｂの増大した長さを収容するように、長くなることになろう。同様に、原理は、三つを上回る数の中継器増幅器組立体の連結に更に拡張されてもよい。
【００５７】
四つのファイバペア組立体（二つの連結された中継器増幅器組立体５００（１）及び５００（２）の連続体８００Ａを伴う）の場合には、サイズ調節メカニズムの作動は、ハウジング２０１の一端から第一中継器増幅器組立体５００（１）に、且つ、次いで、ハウジング２０１の他端から第二中継器増幅器組立体５００（２）に、アクセスすることにより、実現され得るであろう。但し、この原理は、５つ以上のファイバペア（三つの連結された中継器増幅器組立体５００（１）、５００（２）、及び５００（３）の連続体８００Ｂ）の内部ユニットには拡張されず、その理由は、この設計は、そのガイドロッドの回転が図８Ｂの隣接する中継器増幅器組立体５００（１）又は５００（３）に対する接続によって駆動されない限り、図８Ｂの中央中継器増幅器組立体５００（２）の作動を許容することにならないからである。この接続は、確実な回転接続性を維持しつつ、ロッドにおけるなんらかの独立した軸方向の運動を許容する必要がある。
【００５８】
図９は、これを許容することになる構造９００を示している。ここでは、図８Ｂの連続体８００Ｂの対応する中継器増幅器組立体５００（１）、５００（２）、及び５００（３）のそれぞれのためのサイズ調節メカニズム５１０（１）、５１０（２）、及び５１０（３）のうちの一つが示されている。拡大図に示されているように、サイズ調節メカニズム５１０（１）及び５１０（２）の間の接続が示されている。サイズ調節メカニズム５１０（１）のガイドロッドは、六角形の駆動部をその一端において有しており、この六角形の駆動部は、次のサイズ調節メカニズム５１０（２）の次のガイドロッドの対向する端部内の六角形のソケットに（矢印９０３によって表されているように）受け入れられると共にこれから取り外されてもよい。この結果、サイズ調節メカニズム５１０（１）のガイドロッドの運動（矢印９０１によって表されている）は、次のサイズ調節メカニズム５１０（２）のガイドロッドの対応する運動（矢印９０２によって表されている）を生成することになる。図８Ｂの連続体８００Ｂのすべての三つの中継器増幅器組立体５００（１）、５００（２）、及び５００（３）は、この接続方式に準拠することが可能であり、且つ、この結果、ハウジング２０１の一端からのみのサイズ調節メカニズムの連続体の作動が許容されることになろう。又、この原理は、一連の四つ以上の連結された中継器増幅器組立体に拡張されてもよい。
【００５９】
連続体は、それぞれのメカニズムが圧縮状態にある状態で（即ち、捕獲状態のガイドブロックが反応ブロックとの接触状態にある状態で）完成する必要がある。公称的圧縮レベルは、すべての中継器増幅器組立体について同一であることを要するが、公差が、圧縮レベルにおけるある程度の可変性を決定することになる。ハウジング内への組込みを促進するべく、中継器増幅器組立体を更に圧縮するための十分な移動が存在する必要がある。
【００６０】
挿入の後に、ガイドロッドを回転させることにより、負荷の制御を弾性を有する圧縮メカニズムに伝達する。次いで、それぞれの中継器増幅器組立体を運動させることにより、その完全に押し出された位置を実現することになる。例えば、図８Ｂのケースにおいては、ガイドロッドが緩んだ状態になる前に、一つの中継器増幅器組立体が押出しを実現することになり、次いで、第二の中継器増幅器組立体が押出しを実現することになり、且つ、次いで、第三の中継器増幅器組立体が押出しを実現することになる。正確な順序は、部品及び組立体の公差によって左右される。順序は、中継器ごとに変化する可能性が高いが、機能に影響を及ぼすことにはならない。
【００６１】
図１０は、中継器ハウジングに中継器増幅器組立体を挿入する方法１０００のフローチャートを示している。一例に過ぎないが、方法１０００は、中継器ハウジング２０１に中継器増幅器組立体５００を挿入する際に実行されてもよい。従って、図２〜図８Ｂを頻繁に参照することにより、方法１０００について説明することとする。
【００６２】
中継器増幅器組立体は、縮小位置においてアクセスされる（動作１００１）。例えば、図６Ｂ及び図８Ｂとの関係において、中継器増幅器組立体５００（図５のケース）又は中継器増幅器組立体の連続体８００Ａ又は８００Ｂ（図８Ａ及び図８Ｂのケース）が縮小する時点まで、ガイドロッド６０１を方向６１０Ｂにおいて回転させてもよい。次いで、中継器増幅器組立体を中継器ハウジングに挿入する（動作１００２）。例えば、縮小した中継器増幅器組立体５００（又は、連続体８００Ａ及び８００Ｂ）を中継器ハウジング２０１及びライナ４０１に挿入してもよい。次いで、中継器増幅器組立体又はその連続体がハウジングに対して圧接状態で膨張するように、制御部を作動させる（動作１００３）。例えば、図６Ａを参照すれば、シャーシ５０１及び５０２が中継器ハウジング２０１内においてライナ４０１を圧接状態で押圧するように、ガイドロッド６０１を方向６１０Ａにおいて回転させてもよい。同様に、共有されているガイドロッドの回転により、連続体８００Ａ又は８００Ｂが中継器ハウジング２０１内においてライナ４０１を圧接状態で押圧するようにしてもよい。
【００６３】
図１１は、中継器ハウジングから中継器増幅器組立体を取り出す方法１１００のフローチャートを示している。中継器ハウジングがアクセスされる（動作１１０１）。例えば、潜水艦型の光中継器の場合には、中継器ハウジングは、海底からアクセスされてもよい。次いで、中継器増幅器組立体が縮小するように、制御部を作動させる（動作１１０２）。例えば、図６Ａにおいて、シャーシ５０１及び５０２がもはや中継器ハウジング２０１を圧接状態で押圧しないように、ガイドロッド６０１を方向６１０Ａにおいて回転させてもよい。中継器増幅器組立体の連続体８００Ａ又は８００Ｂの場合には、シャーシのすべてが中継器ハウジング２０１から係合解除されてもよい。次いで、中継器増幅器組立体又はその連続体を中継器ハウジングから取り外している（動作１１０２）。例えば、この結果、中継器増幅器組立体５００又は連続体８００Ａ又は８００Ｂをライナ４０１及び中継器ハウジング２０１から自由に取り外してもよい。
【００６４】
従って、本明細書において記述されている原理は、組立体を中継器ハウジングに相対的に自由に挿入すると共にこれから取り外すことができるように、中継器増幅器組立体を膨張及び縮小させるメカニズムについて記述している。
【００６５】
本発明は、その精神又は基本的な特性を逸脱することなしに、その他の特定の形態において実施されてもよい。記述されている実施形態は、すべての観点において、限定ではなく、例示を目的としたものに過ぎないものと見なされたい。従って、本発明の範囲は、上述の説明によってではなく、添付の請求項によって示される。請求項の均等物の意味及び範囲に含まれるすべての変更が請求項の範囲に含まれる。
【図１】
0006453237.tif 000002
【図２】
0006453237.tif 000003
【図３】
0006453237.tif 000004
【図４】
0006453237.tif 000005
【図５】
0006453237.tif 000006
【図６Ａ】
0006453237.tif 000007
【図６Ｂ】
0006453237.tif 000008
【図７】
0006453237.tif 000009
【図８Ａ】
0006453237.tif 000010
【図８Ｂ】
0006453237.tif 000011
【図９】
0006453237.tif 000012
【図１０】
0006453237.tif 000013
【図１１】
0006453237.tif 000014